(57)【要約】【課題】  交換レンズの特性に関する情報、また撮像素子の経時変化による性能の劣化に関する情報をユーザーに通知可能とする。【解決手段】  デジタルカメラ２は、カメラボディ３とレンズユニット４とから構成される。カメラボディ３にはレンズユニット４が着脱自在であり、装着時には接続端子６ａ，７ａを介してカメラボディ３とレンズユニット４とが電気的に接続される。レンズユニット４には、ＣＣＤ２１、撮影レンズ２２、不揮発性メモリ２３となどが組み込まれている。不揮発性メモリ２３には、画像解像度を示す解像度チャートをＣＣＤ２１によって撮影したチャート画像が予め記憶されている。カメラボディ３の装着検出部５８がレンズユニット４の装着を検出したとき、チャート画像が読み込まれ、ＬＣＤ１５にチャート画像が表示される。【選択図】        図４
2006235285.tif 000002
【特許請求の範囲】
【請求項１】
撮影レンズ及び撮像素子を内蔵するレンズユニットと、このレンズユニットを着脱自在なカメラボディとからなり、前記レンズユニットの前記カメラボディへの装着に伴なって前記レンズユニットと前記カメラボディとを電気的に接続させる接続手段と、前記カメラボディに設けられ、前記接続手段を介して前記レンズユニット側から取り込んだ画像信号を信号処理する信号処理部、及びこの信号処理部により信号処理された画像信号を画像として表示する表示手段とを備えたデジタルカメラにおいて、
前記レンズユニットに不揮発性記憶媒体を内蔵し、この不揮発性記憶媒体に前記レンズユニットの特性に関する特性情報を予め記憶させており、前記レンズユニットの前記カメラボディへの装着時に前記特性情報を読み込んで、この特性情報に基づく情報画像を前記表示手段に表示させることを特徴とするデジタルカメラ。
【請求項２】
前記特性情報は、画像解像度を示すための解像度チャートを前記レンズユニットの製造時に前記撮像素子によって撮影したチャート画像の画像信号であり、前記レンズユニットの前記カメラボディへの装着時には、前記情報画像として前記チャート画像が前記表示手段に表示させることを特徴とする請求項１記載のデジタルカメラ。
【請求項３】
前記レンズユニットは、前記撮影レンズとしてズームレンズを含むとともに、このズームレンズを移動させてズーミングを行う移動機構を備えており、前記特性情報は、前記レンズユニットでズーミングを行うときの撮影レンズの焦点距離情報、及び前記撮像素子で撮像したチャート画像の画像信号であり、前記レンズユニットの前記カメラボディへの装着時には、前記情報画像として、前記チャート画像を前記焦点距離情報に基づいた大きさに電子的に可変させた画像を前記表示手段に表示させることを特徴とする請求項１記載のデジタルカメラ。
【請求項４】
撮影レンズと撮像素子とを内蔵するレンズユニットと、このレンズユニットを着脱自在なカメラボディとからなり、前記レンズユニットの前記カメラボディへの装着に伴って前記レンズユニットと前記カメラボディとを電気的に接続させる接続手段と、前記カメラボディに設けられ、前記撮像素子により取得した画像信号を前記接続手段を介して取り込んで信号処理する信号処理部、及びこの信号処理部により信号処理された画像信号を画像として表示する表示手段とを備えたデジタルカメラにおいて、
前記レンズユニットに不揮発性記憶媒体を内蔵するとともに、前記撮像素子の前方に位置し、前記撮像素子を遮光する遮光位置及び前記撮像素子から退避する退避位置の間で移動する遮光部材を設け、前記不揮発性記憶媒体に、前記遮光部材を遮光位置にして前記撮像素子で撮像した製造時の遮光画像、又はチャート画像を撮像したときの画像信号を予め記憶させており、前記カメラボディには、前記レンズユニットの前記カメラボディへの装着時に、前記遮光部材を遮光位置にして前記撮像素子で装着時の遮光画像を撮像させる制御手段と、この装着時の遮光画像と、前記製造時の遮光画像又はチャート画像とを取り込んで比較し、前記撮像素子の劣化度を判定する劣化度判定手段と、前記劣化度判定手段により所定値以上の劣化度であると判定された場合に警告を行う警告手段とを備えたことを特徴とするデジタルカメラ。
【請求項５】
撮影レンズ及び撮像素子を内蔵してカメラボディに着脱自在なレンズユニットにおいて、
不揮発性記憶媒体を内蔵し、この不揮発性記憶媒体に特性情報を予め記憶させており、前記カメラボディへの装着時に前記特性情報が前記カメラボディ側へ取り込まれることを特徴とするレンズユニット。
【請求項６】
前記特性情報は、画像解像度を示すための解像度チャートを前記撮像素子によって撮影したチャート画像の画像信号であることを特徴とする請求項５記載のレンズユニット。
【請求項７】
前記撮影レンズにはズームレンズを含み、このズームレンズを移動させてズーミングを行う移動機構を備え、前記特性情報は、前記移動機構を制御してズーミングを行うときの撮影レンズの焦点距離情報、及び前記撮像素子で撮像したチャート画像の画像信号であることを特徴とする請求項５記載のレンズユニット。
【請求項８】
撮影レンズ及び撮像素子を内蔵してカメラボディに着脱自在なレンズユニットにおいて、
不揮発性記憶媒体を内蔵し、前記撮像素子の前方に位置し、前記撮像素子を遮光する遮光位置及び前記撮像素子から退避する退避位置の間で移動する遮光部材を設け、前記不揮発性記憶媒体に、前記遮光部材を遮光位置にして前記撮像素子で撮像した製造時の遮光画像、又はチャート画像を撮像したときの画像信号を予め記憶させており、前記カメラボディへの装着時に前記製造時の遮光画像、又はチャート画像が前記カメラボディ側へ取り込まれることを特徴とするレンズユニット。
【請求項９】
撮影レンズ及び撮像素子を内蔵し、カメラボディに着脱可能なレンズユニットの判別制御方法において、
前記レンズユニットの前記カメラボディへの装着を検出し、前記レンズユニットの内部に設けられた不揮発性記憶媒体に記憶された特性情報を前記カメラボディ側に取り込み、前記特性情報に基づく情報画像をカメラボディに設けた表示手段に表示させることを特徴とするレンズユニットの判別制御方法。
【請求項１０】
前記特性情報は、画像解像度を示すための解像度チャートを前記レンズユニットの製造時に前記撮像素子によって撮影したチャート画像の画像信号であり、前記レンズユニットの前記カメラボディへの装着時には、前記情報画像として前記チャート画像を前記表示手段に表示させることを特徴とする請求項９記載のレンズユニットの判別制御方法。
【請求項１１】
前記特性情報は、前記レンズユニットでズーミングを行うときの撮影レンズの焦点距離情報、及び前記撮像素子で撮像したチャート画像の画像信号であり、前記レンズユニットの前記カメラボディへの装着時には、前記情報画像として、前記チャート画像を前記焦点距離情報に基づいた大きさに電子的に可変させた画像を前記表示手段に表示させることを特徴とする請求項９記載のレンズユニットの判別制御方法。
【請求項１２】
撮影レンズ、撮像素子、及びこの撮像素子の前方に位置し、前記撮像素子を遮光する遮光位置及び前記撮像素子から退避する退避位置の間で移動する遮光部材を内蔵し、カメラボディに着脱可能なレンズユニットの劣化判定方法において、
前記レンズユニットの前記カメラボディへの装着を検出し、前記遮光部材を遮光位置にして前記撮像素子で装着時の遮光画像を撮像させてカメラボディ側に取り込むとともに、前記レンズユニットの内部に設けられた不揮発性記憶媒体に記憶された製造時の遮光画像又はチャート画像を前記カメラボディ側に取り込み、前記装着時の遮光画像と、前記製造時の遮光画像又はチャート画像とを比較して前記撮像素子の劣化度を判定し、所定値以上の劣化度であると判定された場合に警告を行うことを特徴とするレンズユニットの劣化判定方法。
【発明の詳細な説明】
【技術分野】
【０００１】
本発明は、レンズ交換型のデジタルカメラに関するものである。
【背景技術】
【０００２】
近年、ＣＣＤなどの撮像素子を用いて撮像した撮影画像をデジタルの画像データに変換し、内蔵メモリやメモリカードなどの記録媒体に記録するデジタルカメラが普及している。デジタルカメラの中には、撮影レンズがカメラボディに一体化された一体型のものと、各種撮影レンズがカメラボディに着脱可能にされたレンズ交換型のものとがある。
【０００３】
これまでのレンズ交換型のデジタルカメラは、従来の銀塩フイルム用カメラの既存システム（例えば、特許文献１参照）を流用したものが多く、交換レンズなどは銀塩フイルム用のものをほぼそのまま使用し、銀塩フイルムの代わりにカメラボディ側に組み込まれた撮像素子に被写体像を結像して記録媒体に画像データを記録するという構成が一般的だった。
【０００４】
ところが、最近では、撮像素子の小型化、解像度の向上が進んできていることから、従来の銀塩フイルムの既存システムを流用したものではなく、新しいシステムのデジタルカメラが検討されており、例えば、特許文献２に示すデジタルカメラでは、交換レンズだけではなく、撮像素子を配列した撮像モジュールを交換可能にした構成が記載されている。
【０００５】
さらに、レンズ交換型のデジタルカメラの新しい構成として、撮像素子を交換レンズ側に組み込むことも検討されている。これによって、交換レンズとカメラボディとを光学的に接続する必要がなくなり、交換レンズ側とカメラボディ側とを電気的に接続させるだけでよいため、構造を比較的簡易にすることができるという利点を得ることができる。
【特許文献１】特開平８−１７１１３０号公報
【特許文献２】特開平１１−３４６３２５号公報
【発明の開示】
【発明が解決しようとする課題】
【０００６】
しかしながら、レンズ交換型のデジタルカメラの場合、交換レンズをカメラボディ側に装着して実際に撮影を行ない、画像を確認しなければ、それぞれの交換レンズを撮影に使用するときの特性が分からず、どのような画像が撮影できるかは事前にわからないという問題があった。さらに、撮像素子が交換レンズ側に組み込まれたシステムの場合、それぞれの交換レンズの特性として、撮像素子の解像度、ズーム倍率の範囲、及びマクロ撮影時の画角などの性能も異なってくるが、それらを即時に確認できるような手段はこれまでなかった。なお、上記特許文献２に記載されている撮像モジュールを交換したときには、それぞれの撮像素子に係わる情報や、制御プログラムなどはカメラボディ側に反映されるが、上述したような撮影に使用するうえでの交換レンズの特性に関する情報をユーザーが確認することはできない。
【０００７】
また、デジタルカメラでは、撮像素子が経時変化によって性能が劣化してきたとき、撮影画像の画質が徐々に低下してくることになるが、これまでのレンズ交換型のデジタルカメラでは、撮像素子の性能劣化に関する情報をユーザーが確認することはできなかった。
【０００８】
本発明は、上記事情を考慮してなされたもので、交換レンズをカメラボディに装着したときに、それぞれの交換レンズについて撮像素子の解像度、ズーム倍率の範囲、及びマクロ撮影時の画角などの特性に関する情報、また撮像素子の経時変化による性能の劣化に関する情報をユーザーに通知可能とするデジタルカメラ、レンズユニット、レンズユニットの判別制御方法、及びレンズユニットの劣化判定方法を提供することを目的とする。
【課題を解決するための手段】
【０００９】
本発明のデジタルカメラは、撮影レンズ及び撮像素子を内蔵するレンズユニットと、このレンズユニットを装着可能なカメラボディとからなり、前記レンズユニットの前記カメラボディへの装着に伴なって前記レンズユニットと前記カメラボディとを電気的に接続させる接続手段と、前記カメラボディに設けられ、前記接続手段を介して前記レンズユニット側から取り込んだ画像信号を信号処理する信号処理部、及びこの信号処理部により信号処理された画像信号を画像として表示する表示手段とを備えたデジタルカメラにおいて、前記レンズユニットに不揮発性記憶媒体を内蔵し、この不揮発性記憶媒体に前記レンズユニットの特性に関する特性情報を予め記憶させており、前記レンズユニットの前記カメラボディへの装着時に前記特性情報を読み込んで、この特性情報に基づく情報画像を前記表示手段に表示させることを特徴とする。なお、撮像素子としてはＣＣＤイメージセンサや、ＣＭＯＳイメージセンサなどの固体撮像素子が使用される。また、表示手段としては、ＬＣＤ（液晶ディスプレイ）や、有機ＥＬディスプレイなど画像表示可能なディスプレイが用いられる。
【００１０】
また、本発明のレンズユニットは、撮影レンズ及び撮像素子を内蔵してカメラボディに着脱自在なレンズユニットにおいて、不揮発性記憶媒体を内蔵し、この不揮発性記憶媒体に特性情報を予め記憶させており、前記カメラボディへの装着時に前記特性情報が前記カメラボディ側へ取り込まれることを特徴とする。
【００１１】
さらにまた、本発明のレンズユニットの判別制御方法は、撮影レンズ及び撮像素子を内蔵し、カメラボディに着脱可能なレンズユニットの判定制御方法において、前記レンズユニットの前記カメラボディへの装着を検出し、前記レンズユニットの内部に設けられた不揮発性記憶媒体に記憶された特性情報を前記カメラボディ側に取り込み、前記特性情報に基づく情報画像をカメラボディに設けた表示手段に表示させることを特徴とする。
【００１２】
なお、前記特性情報は、画像解像度を示すための解像度チャートを前記レンズユニットの製造時に前記撮像素子によって撮影したチャート画像の画像信号であり、前記レンズユニットの前記カメラボディへの装着時には、前記情報画像として前記チャート画像が前記表示手段に表示させることが好ましい。
【００１３】
また、前記レンズユニットは、前記撮影レンズとしてズームレンズを含むとともに、このズームレンズを移動させてズーミングを行う移動機構を備えており、前記特性情報は、前記レンズユニットでズーミングを行うときの撮影レンズの焦点距離情報、及び前記撮像素子で撮像したチャート画像の画像信号であり、前記レンズユニットの前記カメラボディへの装着時には、前記情報画像として、前記チャート画像を前記焦点距離情報に基づいた大きさに電子的に可変させた画像を前記表示手段に表示させることが好ましい。
【００１４】
本発明のデジタルカメラは、撮影レンズと撮像素子とを内蔵するレンズユニットと、このレンズユニットを装着可能なカメラボディとからなり、前記レンズユニットの前記カメラボディへの装着に伴って前記レンズユニットと前記カメラボディとを電気的に接続させる接続手段と、前記カメラボディに設けられ、前記撮像素子により取得した画像信号を前記接続手段を介して取り込んで信号処理する信号処理部、及びこの信号処理部により信号処理された画像信号を画像として表示する表示手段とを備えたデジタルカメラにおいて、前記レンズユニットに不揮発性記憶媒体を内蔵するとともに、前記撮像素子の前方に位置し、前記撮像素子を遮光する遮光位置及び前記撮像素子から退避する退避位置の間で移動する遮光部材を設け、前記不揮発性記憶媒体に、前記遮光部材を遮光位置にして前記撮像素子で撮像した製造時の遮光画像、又はチャート画像を撮像したときの画像信号を予め記憶させており、前記カメラボディには、前記レンズユニットの前記カメラボディへの装着時に、前記遮光部材を遮光位置にして前記撮像素子で装着時の遮光画像を撮像させる制御手段と、この装着時の遮光画像と、前記製造時の遮光画像又はチャート画像とを取り込んで比較し、前記撮像素子の劣化度を判定する劣化度判定手段と、前記劣化度判定手段により所定値以上の劣化度であると判定された場合に警告を行う警告手段とを備えたことを特徴とする。
【００１５】
また、本発明のレンズユニットは、撮影レンズ及び撮像素子を内蔵してカメラボディに着脱自在なレンズユニットにおいて、不揮発性記憶媒体を内蔵し、前記撮像素子の前方に位置し、前記撮像素子を遮光する遮光位置及び前記撮像素子から退避する退避位置の間で移動する遮光部材を設け、前記不揮発性記憶媒体に、前記遮光部材を遮光位置にして前記撮像素子で撮像した製造時の遮光画像、又はチャート画像を撮像したときの画像信号を予め記憶させており、前記カメラボディへの装着時に前記製造時の遮光画像、又はチャート画像が前記カメラボディ側へ取り込まれることを特徴とする。
【００１６】
さらにまた、本発明のレンズユニットの劣化判定方法は、撮影レンズ、撮像素子、及びこの撮像素子の前方に位置し、前記撮像素子を遮光する遮光位置及び前記撮像素子から退避する退避位置の間で移動する遮光部材を内蔵し、カメラボディに着脱可能なレンズユニットの劣化度判定方法において、前記レンズユニットの前記カメラボディへの装着を検出し、前記遮光部材を遮光位置にして前記撮像素子で装着時の遮光画像を撮像させてカメラボディ側に取り込むとともに、前記レンズユニットの内部に設けられた不揮発性記憶媒体に記憶された製造時の遮光画像又はチャート画像を前記カメラボディ側に取り込み、前記装着時の遮光画像と、前記製造時の遮光画像又はチャート画像とを比較して前記撮像素子の劣化度を判定し、所定値以上の劣化度であると判定された場合に警告を行うことを特徴とする。
【発明の効果】
【００１７】
本発明では、レンズユニットに不揮発性記憶媒体を内蔵し、この不揮発性記憶媒体にレンズユニットの特性に関する特性情報を予め記憶させており、レンズユニットの前記カメラボディへの装着時に特性情報を読み込んで、この特性情報に基づく情報画像を表示手段に表示させているので、ユーザは情報画像からレンズユニットの特性を事前に知ることができ、撮影に備えることができる。
【００１８】
また、特性情報として、画像解像度を示すための解像度チャートをレンズユニットの製造時に撮像素子によって撮影したチャート画像の画像信号を不揮発性記憶媒体に記憶させ、レンズユニットのカメラボディへの装着時には、チャート画像が表示手段に表示させているので、レンズユニットの解像度を即座に知ることができる。
【００１９】
さらにまた、レンズユニットは、撮影レンズとしてズームレンズを含むとともに、このズームレンズを移動させてズーミングを行う移動機構を備えており、特性情報として、レンズユニットでズーミングを行うときの撮影レンズの焦点距離情報、及び前記撮像素子で撮像したチャート画像の画像信号を不揮発性記憶媒体に記憶させており、レンズユニットのカメラボディへの装着時には、情報画像として、チャート画像を焦点距離情報に基づいた大きさに電子的に可変させた画像を表示手段に表示させているので、レンズユニットのズーミングの倍率を即座に知ることができる。
【００２０】
また、レンズユニットに不揮発性記憶媒体を内蔵するとともに、撮像素子の前方に位置し、撮像素子を遮光する遮光位置及び撮像素子から退避する退避位置の間で移動する遮光部材を設け、不揮発性記憶媒体に、遮光部材を遮光位置にして撮像素子で撮像した製造時の遮光画像、又はチャート画像を撮像したときの画像信号を予め記憶させており、カメラボディには、レンズユニットのカメラボディへの装着時に、遮光部材を遮光位置にして撮像素子で装着時の遮光画像を撮像させる制御手段と、この装着時の遮光画像と、製造時の遮光画像又はチャート画像とを取り込んで比較し、撮像素子の劣化度を判定する劣化度判定手段と、劣化度判定手段により所定値以上の劣化度であると判定された場合に警告を行う警告手段とを備えているので、ユーザは撮像素子の経時劣化に関する情報を事前に知ることができ、撮影に備えることができる。
【発明を実施するための最良の形態】
【００２１】
以下、図面を参照して本発明の第１の実施形態を適用したデジタルカメラについて説明する。図１及び図２に示すように、デジタルカメラ２は、カメラボディ３とレンズユニット４とから構成される。カメラボディ３にはレンズユニット４が着脱自在であり、装着時にはカメラボディ３とレンズユニット４とが電気的に接続される。なお、図１は、レンズユニット４をカメラボディ３に装着した状態を、図２は、レンズユニット４を取り外した状態を示す。
【００２２】
レンズユニット４の後面に設けられたレンズ側マウント部５には、バヨネット爪６が形成されている。このバヨネット爪６には接続端子６ａが設けられている。カメラボディ３の前面に設けられた本体側マウント部７には、バヨネット溝８が形成されている。レンズユニット４をカメラボディ３に装着する際には、バヨネット爪６をバヨネット溝８に合わせた状態で押し込んでから回転させる。レンズユニット４を所定角度回転させて本体側マウント部７のロックピン９がレンズ側マウント部５の図示しないピン孔と係合すると、レンズユニット４が位置決めされる。また、レンズユニット４の位置決めに伴ってレンズ側マウント部５の接続端子６ａが本体側マウント部７の接続端子７ａ（図４参照）に接続される。なお、本体側マウント部７には、前方向にバネ付勢されたマウント蓋１１が設けられており、レンズユニット非装着時にカメラボディ３内部に塵埃が侵入しないようにされている。
【００２３】
本体側マウント部７には、ロックピン９と連動するロック解除ボタン１０が設けられている。ロック解除ボタン１０は、レンズユニット４を取り外す際に操作されるものであり、押圧することでロックピン９を後方に移動させてロックを解除することができる。
【００２４】
カメラボディ３の上面には、撮影時に押圧操作されるレリーズボタン１２と、撮影／再生モードの切替え時に操作されるモード操作部１３とが設けられている。カメラボディ３の後面には、図３に示すように、撮影画像や各種設定条件が表示されるＬＣＤ１５と、電源スイッチ１６と、ズーム操作部１７とが設けられている。
【００２５】
レンズユニット４は、そのユニット本体２０が円筒状に形成されており、ユニット本体２０の内部には、ＣＣＤ（撮像素子）２１、撮影レンズ２２、不揮発性メモリ２３と、ＣＣＤ２１を駆動させるための制御回路などが組み込まれている。撮影レンズ２２は、レンズ群２６，２７，２８（図４参照）から構成される。
【００２６】
図３にカメラシステム２の電気的構成を示す。レンズ群２７，２８はズームレンズ及びフォーカスレンズとしてそれぞれ機能し、ズームレンズ駆動モータ３１及びフォーカスレンズ駆動モータ３２の駆動によってそれぞれ移動される。フォーカスレンズ群２８の後方には、ＣＣＤ２１が配置されている。ＣＣＤ２１の前方には、シャッタ機構３０や、絞り機構（図示せず）などが配置されている。シャッタ機構３０は、シャッタドライバ３９によって制御され、ＣＣＤ２１を遮光する遮光位置、ＣＣＤ２１から退避する退避位置の間で移動する。
【００２７】
ズームレンズ駆動モータ３１は、ズームモータドライバ４０に接続されており、ズームモータドライバ４０を介してレンズユニット用システム制御部４１（以下、システム制御部４１）によって駆動を制御されている。フォーカス駆動モータ３２は、フォーカスモータドライバ４２に接続されており、フォーカスモータドライバ４２を介してシステム制御部４１によって駆動を制御されている。
【００２８】
ＣＣＤ２１は、ＣＣＤドライバ７３に接続されており、ＣＣＤドライバ７３を介してシステム制御部４１によって駆動を制御される。ＣＣＤ２１は、光学的な被写体画像を電気的な撮像信号に変換して出力する。撮像信号はアンプ４４で適当なレベルに増幅された後、Ａ／Ｄ変換回路４５によってデジタル変換されて画像データとなる。この画像データは、シリアルドライバ４６を介してカメラボディ３側へと送信される。システム制御部４１では、カメラ本体用システム制御部５５（以下、システム制御部５５）からの指令に基づいてレンズユニット４側の撮影処理を管制している。
【００２９】
レンズユニット４からの画像データは、シリアルドライバ４７を介してメモリ４８に書き込まれる。信号処理部４９は、メモリ４８から画像データを読み出し、階調変換、ホワイトバランス補正、γ補正等の各種画像処理を施す。画像処理が施された画像データはＬＣＤドライバ５０へ入力され、ＬＣＤ１５に画像として表示される。撮影された画像はＬＣＤ１５にスルー画として表示される。操作部１３を操作して再生モードに設定すると、記録メディア５３に記録した画像をＬＣＤ１５に表示したり、撮影設定条件をＬＣＤ１５に表示することができる。
【００３０】
レリーズボタン１２が押圧操作されたときには、メディアコントローラ５２の制御によって、画像処理が施された画像データが記録メディア５３に記録される。また、レリーズボタン１２が押圧操作されると、撮影環境からの光量に応じてストロボ１４が駆動される。システム制御部５５は、システム制御部４１に指令を送るとともに、カメラ本体側の撮影処理、画像表示処理、記録処理等を管制している。システム制御部４１には、レリーズボタン１２、操作部１３、電源スイッチ１６、ズーム操作部１７が接続されている。ズーム操作部１７を操作すると、ズームレンズ群２８が前後方向に移動してズーミングが行われる。
【００３１】
さらに、カメラボディ３にはメインバッテリ５６が配置され、カメラボディ３の各部に電力を供給している。さらにまた、レンズユニット４はサブバッテリ５７を備えており、マウント部の接続端子６ａ，７ａを介してカメラボディ３側のメインバッテリ５６と、レンズユニット４側のサブバッテリ５７とが接続され、メインバッテリ５６からサブバッテリ８７に電力が供給され、さらにサブバッテリ８７からレンズユニット４の各部に電力が供給される。
【００３２】
また、カメラボディ３には、レンズユニット４の装着を検出する装着検出部５８が設けられている。装着検出部５８は、接続端子７ａに接続されており、接続端子６ａ，７ａを介してレンズユニット４側と電気的に接続されたとき、サブバッテリ８７の電位を検出してレンズユニット４が装着状態であることをシステム制御部４１に送信する。
【００３３】
さらに、レンズユニット４に組み込まれた不揮発性メモリ２３には、製造時に以下で説明するチャート画像が画像信号として予め記憶されている。本実施形態におけるチャート画像とは、例えば図５に示すような解像度チャート６０をレンズユニット４のＣＣＤ２１で撮像した画像のことであり、レンズユニット４を使用して撮像したときの画像解像度を示すことができる。解像度チャート６０は、くさびチャートと呼ばれるものであり、このくさびチャート６１は、横（水平）方向には、同じ幅の白黒帯が黒５本、白４本が並んでおり、そのくさびチャート６１の左側には、縦（垂直）方向に並んだスケール６２が配置されている。この解像度チャート６０をＣＣＤ２１で撮像してその画像を確認すると、白黒線が正しく解像している状況が継続する限界のライン（行）を目視することができる。すなわち、その限界ラインで示される解像度の数値をスケール６２によって読み取ることが可能であり、このスケール６２の数値が高ければ、ＣＣＤ２１の解像度も高いということを知ることができる。なお、チャート画像としては、このようなものに限らず、ＣＣＤ２１の解像度を目視できるようなチャートを撮影したものであればよく、一般的な風景を撮影した画像や、ＩＳＯ（国際標準化機構）や画像電子学会で規格化されたチャート画像などを使用してもよい。
【００３４】
以下、上記構成による作用について図６に示すフローチャートに沿って説明する。レンズユニット４をカメラボディ３に装着すると、レンズユニット４とカメラボディ３とが電気的に接続される。カメラボディ３の電源スイッチ１６をオンにすると、装着検出部５８がレンズユニット４が装着されているか否かを検出する。そして、レンズユニット４の装着が検出されると、システム制御部５５は、レンズユニット４の不揮発性メモリ２３からチャート画像の画像信号を取り込み信号処理部４９で信号処理を行う。そして、ＬＣＤ１５を起動状態として、チャート画像をＬＣＤ１５に表示させる。このＬＣＤ１５に表示されたチャート画像を目視することによって、ユーザは、レンズユニット４の特性としての解像度を確認することが可能である。このようにして、撮影する前にレンズユニット４の種類を判別し、その特性を知ることができるので、ユーザはデジタルカメラ２によってどのような画像が撮影できるのかを想定して撮影に備えることができる。
【００３５】
上記第１の実施形態においては、不揮発性メモリ２３に解像度を示すためのチャート画像の画像信号を予め記憶させ、レンズユニット４の装着時にそのチャート画像を確認することによって解像度を確認できるようにしているが、本発明はこれに限るものではなく、レンズユニットの特性として、ズーミングを行うときの倍率に関する情報を知ることができる構成にすることもできる。以下では、本発明の第２実施形態としてレンズユニットの交換時にズーミングの際の倍率可変状態を確認することができる構成としたデジタルカメラについて説明する。この第２実施形態を実施したデジタルカメラ７０は、図７に示すような構成となっており、カメラボディ７１及びレンズユニット７２からなる。なお、この第２実施形態で説明する図７においては、上記第１の実施形態と同様の部材及び部品を使用するものについては同符号を付して説明を省略する。なお、図７では上記第１の実施形態と同様の部品および部材を使用しているものについては同符号を付して説明を省略する。また、デジタルカメラ７０の外観としては、上記第１の実施形態で説明したデジタルカメラ２（図１及び図２参照）と同様である。
【００３６】
レンズユニット７２には、不揮発性メモリ７３が組み込まれている。不揮発性メモリ７６には、レンズユニット７２でズーミングを行い、撮影レンズ２２をテレ端、及びワイド端としたときのそれぞれの焦点距離情報、及びＣＣＤ２１で撮像したチャート画像の画像信号が製造時に予め記憶されている。本実施形態におけるチャート画像としては、例えば、図８に示すチャート７８をＣＣＤ２１で撮像したときの画像である。このチャート７８は、画面の中央を原点として、縦軸７９ａ，横軸７９ｂに数値を付したスケール７９が配置されている。また、焦点距離情報としては、例えばワイド端で３４ｍｍ、テレ端で１０２ｍｍといった数値が記憶されている。
【００３７】
以下、上記構成による作用について図９に示すフローチャートに沿って説明する。レンズユニット７２をカメラボディ７１に装着すると、レンズユニット７２とカメラボディ７１とが電気的に接続される。カメラボディ７１の電源スイッチ１６をオンにすると、装着検出部５８がレンズユニット７２が装着されているか否かを検出する。そして、レンズユニット７２の装着が検出されると、システム制御部５５は、レンズユニット７２の不揮発性メモリ７３からチャート画像及び撮影レンズ２２の焦点距離情報の画像信号を取り込み信号処理部４９で信号処理を行う。そして、チャート画像を焦点距離情報に基づいた大きさに電子的に可変させてＬＣＤ１５に表示させる。すなわち、このときには先ず、撮影レンズ２２がテレ端のときの焦点距離情報及びチャート画像の画像信号からレンズユニット７２がテレ端のときを示すチャート画像がＬＣＤ１５に表示される。このときのＬＣＤ１５に表示されるチャート画像は、例えば図８の点線で示す範囲になり、スケール７９における数値が最も大きい位置（図中では５）まで表示されている。そして、次にレンズユニット７２がワイド端のときの焦点距離情報及びチャート画像の画像信号からレンズユニット７２がワイド端のときを示すチャート画像がＬＣＤ１５に表示される。このときのＬＣＤ１５に表示されたチャート画像は、例えば図８の２点鎖線で示す範囲になり、電子ズーム処理によって、もとのチャート画像の一部が切り取られた画像となっており、スケール７９の数値がワイド端のときよりも小さい位置（図中では３）までが表示されるようになっている。これらのチャート画像を目視することによって、ユーザは、レンズユニット４でズーミングを行う際の倍率が可変する範囲を知ることが可能となるので、ユーザは、レンズユニット４の種類を判別し、そのズーム倍率を事前に知ったうえで撮影に備えることができる。なお、このチャート画像の確認が終わった後はモード操作部１３を操作して撮影モード又は再生モードへの切り換えを行う。
【００３８】
なお、上記第２実施形態では、ズームレンズ機能を備えたレンズユニットを例に上げ、ズーム倍率に関する情報をユーザに知らせるようにしているが、これに限らず、レンズユニット４としてマクロ機能を備えたものに適用してもよい。この場合、通常撮影時と、マクロ撮影時の焦点距離情報、及びチャート画像を画像信号として不揮発性メモリに記憶させておき、これらの画像信号を信号処理部４９で信号処理して、通常撮影時を及びマクロ撮影時をそれぞれ示すチャート画像を順にＬＣＤ１５に表示させるようにすればよい。
【００３９】
上記第１及び第２の実施形態では、レンズユニットの特性に関する情報を不揮発性メモリに記憶させておき、レンズユニットの装着時にその情報を知り、種類を判別することができるようにしているが、本発明はこれに限らず、以下で説明する本発明の第３の実施形態では、レンズユニットのＣＣＤが経時変化したときの性能劣化を、レンズユニットの装着時に検出してそれをユーザに知らせることができるようにしている。この第３実施形態を適用したデジタルカメラ８０は、図１０に示す構成となっており、カメラボディ８１及びレンズユニット８２から構成される。なお、図１０では上記第１の実施形態と同様の部品および部材を使用しているものについては同符号を付して説明を省略する。また、デジタルカメラ８０の外観としては、上記第１の実施形態で説明したデジタルカメラ２（図１及び図２参照）と同様である。デジタルカメラ８０を構成するレンズユニット８２に設けられた不揮発性メモリ８３には、レンズユニット８１の製造時にシャッタ機構を遮光位置にしてＣＣＤ２１で撮像したときの遮光画像８４（図１１参照）が予め記憶されている。遮光画像８４は、ＣＣＤ２１を遮光状態にして撮影しているため、画面全体がほぼ真っ暗な画像となっている。なお、図中白い部分８７は傷がＣＣＤに傷が付いた部分である。さらに、カメラボディ８１には、ＣＣＤ２１の劣化度を判定する劣化度判定回路８５と、この劣化度判定回路８５により所定値以上の劣化度であると判定された場合に警告を行う警告回路８６とが設けられている。
【００４０】
上記構成の作用について説明する。レンズユニット８２をカメラボディ８１に装着すると、レンズユニット８２とカメラボディ８１とが電気的に接続される。カメラボディ８１の電源スイッチ１６をオンにすると、装着検出部５８がレンズユニット８２が装着されているか否かを検出する。そして、レンズユニット８２の装着が検出されると、システム制御部５５はレンズユニット８２側のシステム制御部４１を起動させて、シャッタドライバ３９を制御してシャッタ機構３０を遮光位置とし、遮光状態となったＣＣＤ２１で撮影を行う。そして、この装着時にＣＣＤ２１で撮影した遮光画像の画像信号は、信号処理部４９へ送られ信号処理される。さらに、システム制御部５５は、レンズユニット８２の不揮発性メモリ８３から製造時の遮光画像の画像信号を取り込んで信号処理部４９で信号処理を行う。このようにして取り込まれた製造時及び装着時の遮光画像は、劣化度判定回路８５へ送られる。劣化度判定回路８５では、その製造時及び装着時の遮光画像を比較してＣＣＤ２１の劣化度を判定する。この劣化度の判定としては、例えば製造時及び装着時の遮光画像をそれぞれ白黒の２値化した画像に変換して比較する。これにより、ＣＣＤ２１の表面に傷が付いた部分は白く、その他の部分は黒くなるので、白い部分の面積の比率の増加分、すなわち、製造時の遮光画像における白い部分の面積比率に対して、装着時の遮光画像における白い部分の面積比率の増加分が、予め決定した閾値を超えている場合、ＣＣＤ２１が劣化していると判定し、警告回路８６に判定結果を送信する。警告回路８６では、この劣化度の判定結果に基づき、ＣＣＤ２１の劣化状態を示す警告画像をメモリ４８から読み出し、ＬＣＤ１５にＣＣＤ２１が劣化状態にあることを示す警告画像を表示させる。
【００４１】
なお、上記第３の実施形態においては、ＣＣＤに付いた傷を示す白い部分の面積からＣＣＤの劣化度を判定しているが、これに限らず、シェーディングや、色シェーディング（色ムラ）の量から、判定を行ってもよい。この場合、製造時、及び装着時の遮光画像を比較する点では、上記第３実施形態と同様であり、シェーディング、すなわち、画面中心に対する画面周辺の光量減少の度合いを比較する場合には、画面中心の明度に対する画面周辺の明度の比率を、製造時及び装着時の遮光画像についてそれぞれ算出し、製造時と比較して装着時の明度の比率が減少、例えば、所定の閾値以上に減少しているときには、ＣＣＤが劣化していると判定する。あるいは、色シェーディング、すなわち、画面の中央部に対する周辺部での色調変化の度合いで劣化度を判定する場合には、画面中心の色調に対する画面周辺の色調の比率を、Ｒ，Ｇ，Ｂそれぞれの各色毎に、製造時及び装着時の遮光画像についてそれぞれ算出し、製造時と比較して装着時の色調の比率が変化、例えば、所定の閾値を超える変化量となっているときには、ＣＣＤが劣化していると判定する。
【００４２】
また、上記第３の実施形態として、製造時の遮光画像を予め撮影して不揮発性メモリ８３に記憶させているが、これに限らず、チャート画像として全体が真っ暗な（明度が低い）画面を撮影したものを記憶させておき、このチャート画像を装着時の遮光画像と比較しても上記第３実施形態と同様の効果を得ることができる。また、上記第３実施形態では、警告手段として、警告画像をＬＣＤに表示させるようにしているが、これに限らず、音声を発したり、警告用のＬＥＤなどを発光させることによって警告するようにしてもよい。
【００４３】
さらにまた、上記第３の実施形態では、シャッタがＣＣＤを遮光するための遮光部材を兼用しているが、これに限らず、遮光画像を撮影するための専用の部材として遮光部材を別に設けてもよい。
【００４４】
上記実施形態では、レンズユニットが着脱自在なレンズ交換式のデジタルカメラを用いて説明を行ったが、ＣＣＤ（撮像素子）、及びこのＣＣＤを駆動させる駆動回路からなる撮像モジュールを交換するシステムのデジタルカメラにも本発明を適用することができる。さらには、デジタルカメラ以外のカメラ、例えば、ビデオカメラにおいても本発明を適用することができる。
【図面の簡単な説明】
【００４５】
【図１】レンズユニットを装着状態としたデジタルカメラの外観斜視図である。
【図２】レンズユニットを取り外した状態のデジタルカメラの外観斜視図である。
【図３】デジタルカメラの背面図である。
【図４】デジタルカメラの電気的構成を示すブロック図である。
【図５】解像度チャートを示す説明図である。
【図６】レンズユニットの装着を検出したときのシーケンスを示すフローチャートである。
【図７】第２実施形態の電気的構成を示すブロック図である。
【図８】ズーム倍率情報を示すためのチャートを示す説明図である。
【図９】第２実施形態ののシーケンスを示すフローチャートである。
【図１０】第３実施形態の電気的構成を示すブロック図である。
【図１１】遮光画像を示す説明図である。
【図１２】第３実施形態ののシーケンスを示すフローチャートである。
【符号の説明】
【００４６】
２，７０，８０  デジタルカメラ
３，７１，８１  カメラボディ
４，７２，８２  レンズユニット
１５  ＬＣＤ
２１  ＣＣＤ
２２  撮影レンズ
２３，７３，８３  不揮発性メモリ
【図１】
2006235285.tif 000003
【図２】
2006235285.tif 000004
【図３】
2006235285.tif 000005
【図４】
2006235285.tif 000006
【図５】
2006235285.tif 000007
【図６】
2006235285.tif 000008
【図７】
2006235285.tif 000009
【図８】
2006235285.tif 000010
【図９】
2006235285.tif 000011
【図１０】
2006235285.tif 000012
【図１１】
2006235285.tif 000013
【図１２】
2006235285.tif 000014